(57)【要約】【課題】携帯内視鏡本体に取り付けた時に操作上邪魔にならない携帯型内視鏡のバッテリ型光源装置を提供する。【解決手段】携帯型内視鏡は、バッテリ１１と、バッテリ１１による電力供給で発光する照明部１３と、照明部１３を駆動する回路基板１５とを有する光源装置１０を備える。光源装置１０が脱着可能で、且つ照明部１３からの光を導光して、観察部位に照射し、観察部位に照射した光の反射光を接眼レンズを介して観察可能な状態で導光する携帯内視鏡本体を備える。光源装置１０は、照明部１３、及びバッテリ１１と回路基板１５を、照明部１３の光軸方向で且つ携帯内視鏡本体と接触する側から順に並べて配置し、バッテリ１１と回路基板１５とは、照明部１３の光軸に垂直な方向に並べて配置される。【選択図】図３
2008259666.tif 000002
【特許請求の範囲】
【請求項１】
バッテリと、前記バッテリによる電力供給で発光する照明部と、前記照明部を駆動する回路基板とを有する光源装置と、
前記光源装置が脱着可能で、且つ前記照明部からの光を導光して、観察部位に照射し、前記観察部位に照射した光の反射光を接眼レンズを介して観察可能な状態で導光する携帯内視鏡本体とを備え、
前記光源装置は、前記照明部、及び前記バッテリと前記回路基板を、前記照明部の光軸方向で且つ前記携帯内視鏡本体と接触する側から順に並べて配置し、前記バッテリと前記回路基板とは、前記照明部の光軸に垂直な方向に並べて配置されることを特徴とする携帯型内視鏡。
【請求項２】
前記光源装置は、前記照明部による照明のオンオフ切り替えを行うオンオフスイッチを、前記バッテリの前記照明部と反対側に有し、
前記バッテリの前記オンオフスイッチ側の端子は、前記オンオフスイッチの一方の端子と電気的に接続され、
前記オンオフスイッチの他方の端子は、前記回路基板と電気的に接続されることを特徴とする請求項１に記載の携帯型内視鏡。
【請求項３】
前記光源装置は、前記バッテリの残量が少なくなった場合にバッテリ切れの警告表示を行う警告表示部を有し、
前記警告表示部のＬＥＤは、前記回路基板上で且つ前記照明部の光軸方向から見て前記バッテリが有る側と反対側に配置されることを特徴とする請求項１に記載の携帯型内視鏡。
【請求項４】
バッテリと、
前記バッテリによる電力供給で発光する照明部と、
前記照明部を駆動する回路基板とを備え、
前記照明部からの光を導光して、観察部位に照射し、前記観察部位に照射した光の反射光を接眼レンズを介して観察可能な状態で導光する携帯内視鏡本体側から脱着可能であり、
前記照明部、及び前記バッテリと前記回路基板は、前記照明部の光軸方向で且つ前記携帯内視鏡本体と接触する側から順に並べられ、前記バッテリと前記回路基板とは、前記照明部の光軸に垂直な方向に並べて配置されることを特徴とする携帯型内視鏡の光源装置。
【発明の詳細な説明】
【技術分野】
【０００１】
本発明は、携帯型内視鏡の光源装置に関する。
【背景技術】
【０００２】
従来、バッテリからの電力供給で発光するバッテリ型光源装置と、バッテリ型光源装置からの光を観察部位に照射し、観察部位からの反射光を観察可能な携帯内視鏡本体とを備える携帯型内視鏡が提案されている。
【０００３】
特許文献１は、円筒形状を有し携帯内視鏡本体と着脱可能なバッテリ型光源装置を備える携帯型内視鏡を開示する。
【特許文献１】特開２００３−３３４１６７号公報
【発明の開示】
【発明が解決しようとする課題】
【０００４】
しかし、特許文献１の装置は、バッテリ型光源装置の電池ケース部がランプなどの照明装置を有する部材に対して垂直に配置され、バッテリ型光源装置の形状がＬ字（又はＴ字）形状を有し、携帯内視鏡本体に取り付けた際に操作上の邪魔になるおそれがある。
【０００５】
したがって本発明の目的は、携帯内視鏡本体に取り付けた時に操作上邪魔にならない携帯型内視鏡のバッテリ型光源装置を提供することである。
【課題を解決するための手段】
【０００６】
本発明に係る携帯型内視鏡は、バッテリと、バッテリによる電力供給で発光する照明部と、照明部を駆動する回路基板とを有する光源装置と、光源装置が脱着可能で、且つ照明部からの光を導光して、観察部位に照射し、観察部位に照射した光の反射光を接眼レンズを介して観察可能な状態で導光する携帯内視鏡本体とを備え、光源装置は、照明部、及びバッテリと回路基板を、照明部の光軸方向で且つ携帯内視鏡本体と接触する側から順に並べて配置し、バッテリと回路基板とは、照明部の光軸に垂直な方向に並べて配置される。
【０００７】
好ましくは、光源装置は、照明部による照明のオンオフ切り替えを行うオンオフスイッチを、バッテリの照明部と反対側に有し、バッテリのオンオフスイッチ側の端子は、オンオフスイッチの一方の端子と電気的に接続され、オンオフスイッチの他方の端子は、回路基板と電気的に接続される。
【０００８】
また、好ましくは、光源装置は、バッテリの残量が少なくなった場合にバッテリ切れの警告表示を行う警告表示部を有し、警告表示部のＬＥＤは、回路基板上で且つ照明部の光軸方向から見てバッテリが有る側と反対側に配置される。
【０００９】
本発明に係る携帯型内視鏡の光源装置は、バッテリと、バッテリによる電力供給で発光する照明部と、照明部を駆動する回路基板とを備え、照明部からの光を導光して、観察部位に照射し、観察部位に照射した光の反射光を接眼レンズを介して観察可能な状態で導光する携帯内視鏡本体側から脱着可能であり、照明部、及びバッテリと回路基板は、照明部の光軸方向で且つ携帯内視鏡本体と接触する側から順に並べられ、バッテリと回路基板とは、照明部の光軸に垂直な方向に並べて配置される。
【発明の効果】
【００１０】
以上のように本発明によれば、携帯内視鏡本体に取り付けた時に操作上邪魔にならない携帯型内視鏡のバッテリ型光源装置を提供することができる。
【発明を実施するための最良の形態】
【００１１】
以下、本実施形態について、図を用いて説明する。本実施形態に係る携帯型内視鏡１は、光源装置１０と、携帯内視鏡本体として把持部２０と、挿入部３０と、湾曲部４０と、接眼部５０とを備える（図１参照）。
【００１２】
光源装置１０は、バッテリを使った電力供給により照明部で発光した光を、把持部２０、挿入部３０、及び湾曲部４０のライトガイドを介して、湾曲部４０の先端に対向する部分（観察部位）に供給する。
【００１３】
把持部２０は、施術者が手で保持しながら各種操作を行う部分である。挿入部３０は、患者の体内に挿入される可撓管である。湾曲部４０は、先端が観察部位に対向できるように把持部２０の操作により湾曲可能な形状を有する。挿入部３０、及び湾曲部４０は、光源装置１０から供給された光を観察部位に導光するライトガイド、及び観察部位の反射光を導光するイメージガイドとを有する（不図示）。
【００１４】
接眼部５０は、接眼レンズを有し、湾曲部４０から観察部位に照射された光の反射光が導光されて得られた被写体像が接眼レンズを介して観察可能である。
【００１５】
光源装置１０は、把持部２０と脱着可能である。光源装置１０は、バッテリ１１、オンオフスイッチ１２、バッテリ１１の電力供給により発光するＬＥＤなどの照明部１３、照明部１３で発光した光を集光する集光レンズ１４、照明部１３及び警告表示部１６を駆動する回路基板１５、及びバッテリ残量が少なくなった場合にバッテリ切れの警告表示を行う警告表示部（ＬＥＤ）１６とを有する。
【００１６】
光源装置１０は、２つの円錐台形状がつながった形状で構成され、集光レンズ１４、照明部１３、バッテリ１１と回路基板１５、オンオフスイッチ１２を、照明部１３の光軸方向で且つ把持部２０と接触する側から順に並べて配置する。バッテリ１１と回路基板１５とは、照明部１３の光軸（及び照明部１３と集光レンズ１４が並べられる方向）に垂直な方向に並べて配置される。警告表示部１６のＬＥＤは、回路基板１５上であって、バッテリ１１と反対側に配置される。
【００１７】
バッテリ１１のオンオフスイッチ１２側の端子（陽極）は、オンオフスイッチ１２の一方の端子と電気的に接続される。オンオフスイッチ１２の他方の端子は、回路基板１５と電気的に接続される。回路基板１５は、照明部１３及びバッテリ１１の照明部１３側の端子（陰極）と電気的に接続される。なお、バッテリ１１の陽極、陰極の並びは逆でもよい。
【００１８】
これにより、バッテリ１１のオンオフスイッチ１２側の端子（陽極）から、照明部１３への配線引き回しを回路基板１５上で行うことが可能になり、回路基板を他の場所（例えばオンオフスイッチ１２近傍）に配置する形態に比べて効率の良い配線が可能になる。特に、照明部１３の光軸方向に部材の配置が効率良く行われるため、光源装置１０の光軸方向の長さを短くし、光源装置１０の外形をＬ字形状などの複雑な形状に比べて簡素化（略円筒形状）することが可能になる。光源装置１０は、携帯内視鏡本体の長手方向に対して垂直に延びる形態であるため、光軸方向の長さが短い方が、携帯型内視鏡を保持する際の邪魔になりにくい。
【００１９】
また、回路基板１５上に警告表示部１６のＬＥＤを配置することが可能にあり、警告表示部１６を設けない場合に比べても回路構成が複雑にならないメリットを有する。
【図面の簡単な説明】
【００２０】
【図１】本実施形態における携帯型内視鏡を示す斜視図である。
【図２】光源装置の内部構造を示す簡略図である。
【図３】光源装置の内部構造を示す構成図である。
【符号の説明】
【００２１】
１  携帯型内視鏡
１０  光源装置
１１  バッテリ
１２  オンオフスイッチ
１３  照明部
１４  集光レンズ
１５  回路基板
１６  警告表示部
２０  把持部
３０  挿入部
４０  湾曲部
５０  接眼部
【図１】
2008259666.tif 000003
【図２】
2008259666.tif 000004
【図３】
2008259666.tif 000005